【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
複数の下りコンポーネントキャリアのうちのいずれかの下りコンポーネントキャリアに含まれる同期チャネル信号を用いてセルサーチするセルサーチ部と、前記セルサーチした同期チャネル信号を含む初期下りコンポーネントキャリアの対となる上りコンポーネントキャリア情報を受信する受信部と、前記上りコンポーネントキャリア情報に基づいて上り信号の送信中心周波数を制御する上り中心周波数制御部と、ランダムアクセスチャネル信号を生成するランダムアクセスチャネル信号生成部と、上り共有チャネル信号を生成する上り共有チャネル信号生成部と、を具備することを特徴とする移動端末装置。
【請求項２】
前記受信部は、前記初期下りコンポーネントキャリアに関するキャリア集合情報、相対的に広い第１システム帯域を持つ第１移動通信システムに対応する移動端末装置固有のランダムアクセスチャネルパラメータ、及び相対的に広い第１システム帯域を持つ第１移動通信システムに対応する移動端末装置固有のページング情報が送信されるコンポーネントキャリアの中心周波数からなる群より選ばれた少なくとも一つを含む前記ダイナミック報知チャネル信号を受信することを特徴とする請求項１記載の移動端末装置。
【請求項３】
前記ランダムアクセスチャネル信号生成部は、前記ランダムアクセスチャネルパラメータを含むランダムアクセスチャネル信号を生成することを特徴とする請求項２記載の移動端末装置。
【請求項４】
前記共有チャネル信号生成部は、送受信帯域幅の情報を含む共有チャネル信号を生成することを特徴とする請求項１から請求項３のいずれかに記載の移動端末装置。
【請求項５】
下りリンクのコンポーネントキャリアと上りリンクのコンポーネントキャリアの割り当て情報を含む制御信号を受信する制御信号受信部を具備することを特徴とする請求項１から請求項４のいずれかに記載の移動端末装置。
【請求項６】
ランダムアクセス後に、前記割り当て情報に基づく下りリンクのコンポーネントキャリアと上りリンクのコンポーネントキャリアとで通信することを特徴とする請求項５記載の移動端末装置。
【請求項７】
ダイナミック報知チャネル信号を受信可能なアクセス可能コンポーネントキャリアの情報を含む物理報知チャネル信号を受信する物理報知チャネル信号受信部と、前記アクセス可能コンポーネントキャリアの情報に基づいて下り信号の受信中心周波数を制御する受信中心周波数制御部と、を具備することを特徴とする請求項２から請求項６のいずれかに記載の移動端末装置。
【請求項８】
下りコンポーネントキャリアの対となる上りコンポーネントキャリア情報を生成する生成部と、セルサーチに使用された同期チャネル信号を含む初期下りコンポーネントキャリアの対となる上りコンポーネントキャリアにおける、移動端末装置の送受信帯域幅の情報を含む共有チャネル信号を受信する共有チャネル信号受信部と、下りリンクのコンポーネントキャリアと上りリンクのコンポーネントキャリアの割り当て情報を含む下り制御信号を生成する下り制御信号生成部と、を具備することを特徴とする無線基地局装置。
【請求項９】
前記生成部は、前記初期下りコンポーネントキャリアに関するキャリア集合情報、相対的に広い第１システム帯域を持つ第１移動通信システムに対応する移動端末装置固有のランダムアクセスチャネルパラメータ、及び相対的に広い第１システム帯域を持つ第１移動通信システムに対応する移動端末装置固有のページング情報が送信されるコンポーネントキャリアの中心周波数からなる群より選ばれた少なくとも一つを含むダイナミック報知チャネル信号を生成することを特徴とする請求項８記載の無線基地局装置。
【請求項１０】
前記上りコンポーネントキャリアにおいて前記ランダムアクセスチャネルパラメータを含むランダムアクセスチャネル信号を受信するランダムアクセスチャネル信号受信部を具備することを特徴とする請求項８又は請求項９記載の無線基地局装置。
【請求項１１】
前記上りコンポーネントキャリアの対となるすべての下りコンポーネントキャリアでランダムアクセスチャネル信号の応答信号や下り制御信号をパラレルに送信することを特徴とする請求項８から請求項１０のいずれかに記載の無線基地局装置。
【請求項１２】
前記ランダムアクセスチャネル信号を用いて前記初期下りコンポーネントキャリアを同定し、前記初期下りコンポーネントキャリアでランダムアクセスチャネル信号の応答信号や下り制御信号を送信することを特徴とする請求項８から請求項１０のいずれかに記載の無線基地局装置。
【請求項１３】
ランダムアクセス後に、前記割り当て情報に基づく下りリンクのコンポーネントキャリアと上りリンクのコンポーネントキャリアとで通信することを特徴とする請求項８から請求項１２のいずれかに記載の無線基地局装置。
【請求項１４】
前記ダイナミック報知チャネル信号を受信可能なアクセス可能コンポーネントキャリアの情報を含む物理報知チャネル信号を生成する物理報知チャネル信号生成部を具備することを特徴とする請求項９から請求項１３のいずれかに記載の無線基地局装置。
【請求項１５】
移動端末装置において、複数の下りコンポーネントキャリアのうちのいずれかの下りコンポーネントキャリアに含まれる同期チャネル信号を用いてセルサーチする工程と、無線基地局装置が、前記セルサーチした同期チャネル信号を含む初期下りコンポーネントキャリアの対となる上りコンポーネントキャリア情報を送信する工程と、前記無線基地局装置が、前記移動端末装置からのランダムアクセスチャネル信号の応答信号を前記初期下りコンポーネントキャリアで前記移動端末装置に送信する工程と、前記移動端末装置が、前記上りコンポーネントキャリアで前記移動端末装置の送受信帯域幅の情報を含む共有チャネル信号を前記無線基地局装置に送信する工程と、前記無線基地局装置が、前記移動端末装置の送受信帯域幅の情報に基づいて下りリンクのコンポーネントキャリアと上りリンクのコンポーネントキャリアの割り当て情報を含む制御信号を前記移動端末装置に送信する工程と、ランダムアクセス後に、前記割り当て情報に基づく下りリンクのコンポーネントキャリアと上りリンクのコンポーネントキャリアとで前記無線基地局装置と前記移動端末装置との間で通信する工程と、を具備することを特徴とする移動通信システム。
【手続補正２】
【補正対象書類名】明細書
【補正対象項目名】発明の名称
【補正方法】変更
【補正の内容】
【発明の名称】移動端末装置、無線基地局装置及び移動通信システム
【手続補正３】
【補正対象書類名】明細書
【補正対象項目名】０００６
【補正方法】変更
【補正の内容】
【０００６】
本発明の移動端末装置は、複数の下りコンポーネントキャリアのうちのいずれかの下りコンポーネントキャリアに含まれる同期チャネル信号を用いてセルサーチするセルサーチ部と、前記セルサーチした同期チャネル信号を含む初期下りコンポーネントキャリアの対となる上りコンポーネントキャリア情報を受信する受信部と、前記上りコンポーネントキャリア情報に基づいて上り信号の送信中心周波数を制御する上り中心周波数制御部と、ランダムアクセスチャネル信号を生成するランダムアクセスチャネル信号生成部と、上り共有チャネル信号を生成する上り共有チャネル信号生成部と、を具備することを特徴とする。
【手続補正４】
【補正対象書類名】明細書
【補正対象項目名】０００７
【補正方法】変更
【補正の内容】
【０００７】
本発明の無線基地局装置は、下りコンポーネントキャリアの対となる上りコンポーネントキャリア情報を生成する生成部と、セルサーチに使用された同期チャネル信号を含む初期下りコンポーネントキャリアの対となる上りコンポーネントキャリアにおける、移動端末装置の送受信帯域幅の情報を含む共有チャネル信号を受信する共有チャネル信号受信部と、下りリンクのコンポーネントキャリアと上りリンクのコンポーネントキャリアの割り当て情報を含む下り制御信号を生成する下り制御信号生成部と、を具備することを特徴とする。